(57)【特許請求の範囲】
【請求項１】
筋肉運動用装置であって、パワーアーム（２）を備え、前記パワーアーム（２）は、一端領域（３）において作用エレメントを取り付け可能であり、かつ、前記パワーアーム（２）は、他端領域（４）において保持エレメント（６）上に配置された枢動シャフト（５）の周りに枢動可能であり、圧縮バネエレメント（９）の一端領域（８）が第１の関節ポイント（７）で前記パワーアーム（２）に連係され、前記第１の関節ポイント（７）が前記パワーアーム（２）に沿って調節可能であり、前記圧縮バネエレメント（９）の他端領域（１１）は第２の関節ポイント（１２）において保持エレメント（６）に連係され、前記圧縮バネエレメント（９）の前記一端領域（８）は第１のジョイント面（１４）を有し、前記第１のジョイント面（１４）は第１の曲面（１５）を有し、一連の第２のジョイント面（１６）が前記パワーアーム（２）に沿って調節ゾーン（１０）にわたって配置され、前記第２のジョイント面（１６）の各々は第２の曲面（１７）を有し、前記第２の曲面（１７）は、前記第１の曲面（１５）と相補的に設計されており、その結果、前記第１のジョイント面（１４）を有する前記圧縮バネエレメント（９）の前記一端領域（８）が前記第２のジョイント面（１６）のひとつと動作的に結合され、前記パワーアーム（２）は、前記第１のジョイント面（１４）および前記第２のジョイント面（１６）の選択したひとつが動作的結合を維持するような方法で、引きバネ（１８）として設計された追加バネエレメントにより、前記圧縮バネエレメント（９）の前記一端領域（８）へ押し付けられる、ことを特徴とする装置。
【請求項２】
前記第１のジョイント面（１４）の前記第１の曲面（１５）は凹面状に設計され、前記第２のジョイント面（１６）の前記第２の曲面（１７）は凸面状に設計される、ことを特徴とする請求項１に記載の装置。
【請求項３】
前記第１のジョイント面（１４）および前記第２のジョイント面（１６）は円筒形に設計され、それぞれの円筒軸線は前記枢動シャフト（５）に平行にアライメントされている、ことを特徴とする請求項１または２に記載の装置。
【請求項４】
前記第２のジョイント面（１６）は、円筒形シャフト（１９）によって形成され、前記円筒形シャフト（１９）は、前記パワーアーム（２）上の前記調節ゾーン（１０）にわたって一列に、かつ、互いに離隔されて配置されており、前記第１のジョイント面（１４）はフォーク（２１）の根元に形成され、前記フォーク（２１）は、前記圧縮バネエレメント（９）の前記一端領域（８）に配置されている、ことを特徴とする請求項３に記載の装置。
【請求項５】
前記円筒形シャフト（１９）は、互いに対向する２つのクロスピース（２７）内に配置され、前記パワーアーム（２）の前記調節ゾーン（１０）に沿って配置されている、ことを特徴とする請求項４に記載の装置。
【請求項６】
前記圧縮バネエレメント（９）はガス圧バネ（１３）である、ことを特徴とする請求項１から５のいずれか一項に記載の装置。
【請求項７】
前記第１の曲面（１５）を有する前記第１のジョイント面（１４）は、前記第２の曲面（１７）を有するそれぞれの前記第２のジョイント面（１６）の前記選択したひとつの方向にのみ導かれる、ことを特徴とする請求項１から６のいずれか一項に記載の装置。
【請求項８】
前記引きバネ（１８）は、ゴムバンド（２２）であり、前記ゴムバンド（２２）の一端領域（２３）は前記第２の関節ポイント（１２）の領域において前記保持エレメント（６）に取り付け可能であり、前記ゴムバンド（２２）の他端領域（２４）は前記パワーアーム（２）に取り外し可能に取り付けられている、ことを特徴とする請求項７に記載の装置。
【請求項９】
前記調節ゾーン（１０）に沿って、前記パワーアーム（２）上にスケール（２９）が設けられる、ことを特徴とする請求項１から８のいずれか一項に記載の装置。
【請求項１０】
前記保持エレメント（６）は支持フレームに取り付け可能である、ことを特徴とする請求項１から９のいずれか一項に記載の装置。 
【発明の詳細な説明】
【技術分野】
【０００１】
本願発明は、パワーアームを有する筋肉運動用の装置に関し、それは、一端領域において作用エレメントを取り付け可能であり、他端でハンドリングエレメント上に配置された枢動シャフトの周りに枢動可能であり、パワーアームに対して圧縮バネの一端領域が第１関節ポイントで連係され、第１関節ポイントはパワーアームに沿って調節可能であり、圧縮バネエレメントの他端領域は第２の関節ポイントにおいて保持エレメントと連係される。
【背景技術】
【０００２】
さまざまなデザインの筋肉運動用の装置が知られている。例えば、米国特許第４，６１８，１４０号には、第１の関節ポイントで、圧縮バネエレメントの一端領域がパワーアームに連係され、当該第１の関節ポイントがパワーアームに沿って調節可能である装置を開示する。これを達成するために、パワーアームには一連のボアが形成され、圧縮バネエレメントの端部領域は当該パワーアームを包囲するファスナーを具備する。このファスナーに挿入された後、シャフトはパワーアームのそれぞれのボア内にバネを介して圧縮され、それにより圧縮バネエレメントの端部領域がパワーアームに固定される。調節するためには、バネ負荷がかかったシャフトはボアから引き抜かれなければならない。圧縮バネエレメントの端部領域上のファスナーは、パワーアームに沿って移動可能である。所望の位置において、シャフトはバネを介してそれぞれのボア内に再び圧縮され、運動を続けることができ、それにより、セッティングに応じてパワーアームの抵抗力がより大きくまたはより小さくなる。
【０００３】
この装置に関して、パワーアームの動作が反対方向に作用する力の調節は複雑である。特に、パワーアーム上の圧縮バネエレメントの端部領域の位置は、シャフトがボアを貫通するように、調節中に正確に設定しなければならない。特に、シャフトがボア内に正しく挿入されない危険性があり、その結果、パワーアームの移動中に、パワーアームに沿って圧縮バネエレメントの関節ポイントの不所望なシフトが発生し、それは、パワーアームを動かしている人にとって好ましくない。
【発明の概要】
【発明が解決しようとする課題】
【０００４】
したがって、本願発明の目的は、圧縮バネエレメントの関節ポイントがパワーアームに沿って単純な方法で調節可能であり、それにより、パワーアーム上での圧縮バネエレメントの連係が正しく生じることを保証する、筋肉運動用装置を与えることである。筋肉運動用装置は、空間を節約しかつ操作が単純であるように作成される。
【課題を解決するための手段】
【０００５】
本目的は、圧縮バネエレメントの一端領域に第１のジョイント面を具備し、それが第１の曲面を有し、一連の第２のジョイント面がパワーアームに沿って調節ゾーンに渡って配置され、その各々は、第２の曲面を有し、第１の曲面と相補的に設計され、その結果、第１ジョイント面を有する圧縮バネエレメントの一端領域が第２ジョイント面のひとつに動作的に結合可能とされ、動作的に結合する２つのジョイント面が接触したままであるように、パワーアームは追加バネエレメントを介して圧縮バネエレメントの一端方向へ圧縮可能である、ところの本願発明に従って達成される。
【０００６】
筋肉運動用装置の本願発明のデザインにより、パワーアームの動作の抵抗力を調節するために、パワーアームは追加バネエレメントのアクティブな力に対抗して、バネ圧縮エレメントの端部領域のジョイント面から持ち上げ可能である。追加バネエレメントは、パワーアームを圧縮バネエレメントの端部領域の方向に再び引く。圧縮バネエレメントの一端領域の第１のジョイント面はパワーアームの第２のジョイント面のひとつと係合する。それにより力の調節は、最も単純な方法で達成される。任意の場合の第１のジョイント面はそれぞれの場合の第２のジョイント面に導かれる。したがって、誤った操作が回避可能となる。また、個々のエレメントおよびパワーアームの構成は、コンパクトな構造を可能にし、上下方向において筋肉運動用の装置のアスレチックデザインにゆとりを提供する。
【０００７】
好適には、第１のジョイント面の曲面は、凹面状に設計され、第２ジョイント面の曲面は凸面状に設計され、それにより最適な動作的結合が達成される。
【０００８】
好適には、第１のジョイント面および第２のジョイント面は円筒形状に設計され、それぞれの円筒軸線は、枢動シャフトに平行にアライメントされ、それにより、調節装置の単純な構造および最適な機能が得られる。
【０００９】
好適には、第２のジョイント面は円筒形シャフトによって形成され、それらはパワーアーム上の調節ゾーンに渡って一列にかつ互いに離隔されて配置され、第１のジョイント面はフォークの根元に形成され、それは圧縮バネエレメントの一端領域に配置される。これにより、装置の単純な構造および装置の調節ゾーンの最適な機能が達成される。それにより第１のジョイント面は第２のジョイント面に信頼性が高く保持される。
【００１０】
円筒形シャフトは互いに対向する２つのクロスピース内に配置され、パワーアームのゾーンに沿って配置され、それにより、調節ゾーンの製造が簡単になる。
【００１１】
好適には、圧縮バネエレメントはガス圧バネであり、それは装置内に単純な方法で挿入可能である。
【００１２】
好適には、追加バネエレメントは引きバネとして設計され、それは筋肉運動用の装置内に単純な方法で設置可能である。圧縮バネエレメントおよび引きバネは、保持エレメント上の同じ端部領域において係合し、それによりスペースを節約した構成が可能となる。
【００１３】
本願発明の他の有利な実施形態は、ゴムバンドである引きバネを有し、その一端領域は第２の関節ポイントの領域内の保持エレメント上に取り付け可能であり、その他端領域はパワーアームに対して取り外し可能に取り付けられる。これにより、最適な機能が達成される。パワーアームからゴムバンドのリリース可能性を通じて達成されるのは、パワーアームが圧縮バネエレメントから離れて枢動され、保持エレメントに関して伸長した位置に移動可能であり、その結果、装置が不使用中に、装置はスペースを節約するように片付け可能であるということである。
【００１４】
好適には、調節ゾーンに沿ってパワーアーム上にスケールが与えられ、例えば、パワーアームの動作の抵抗力がどれくらいなのかを視覚的に確かめることが可能である。
【００１５】
保持エレメントは支持フレームに取り付け可能であり、その結果、例えば、装置のアライメントおよび高さ調節も最適な方法で実行可能である。
【００１６】
本願発明の実施形態が、添付図面を参照して、例示的に以下で詳細に説明される。
【図面の簡単な説明】
【００１７】
【図１】図１は、本願発明に従う筋肉運動用装置を３次元的に示す。
【図２】図２は、図１に従う筋肉運動用装置の側面図を示す。
【図３】図３は、図１に従う筋肉運動用装置の正面図を示す。
【図４】図４は、図２に従う筋肉運動用装置の線ＩＶ−ＩＶに沿った断面を示す。
【図５】図５は、図３に従う筋肉運動用装置の調節ゾーンを通る線Ｖ−Ｖに沿った断面図を示す。
【図６】図６は、パワーアームが下方向に圧縮された状態の筋肉運動用装置の側面図を示す。
【図７】図７は、パワーアームが枢動した状態の筋肉運動用装置の側面図を示す。
【図８】図８は、パワーアームが枢動した状態の図７に従う筋肉運動用装置の正面図を示す。
【発明を実施するための形態】
【００１８】
図１に示すように、筋肉を運動するための装置１は、パワーアーム２を有する。パワーアーム２の一端領域３は、作用エレメント（図示せず）が周知の方法で挿入可能な方法で設計され、それにより、パワーアーム２は運動中の人により適切な方法で操作可能となる。パワーアーム２の他端領域４は枢動シャフト５の周りに枢動可能であり、枢動シャフト５は保持エレメント６上に配置されている。第１の関節ポイント７において、圧縮バネエレメント９の一端領域８はパワーアーム２に結合される。この第１の関節ポイント７および圧縮バネエレメント９の一端領域８は、以下で詳細に説明するように、パワーアーム２上で調節ゾーン１０に沿って調節可能である。圧縮バネエレメント９の他端領域１１は、保持エレメント６の第２の関節ポイント１２に結合されている。ここに示す実施形態において、圧縮バネエレメント９は、ガス圧バネとして設計されている。
【００１９】
筋肉運動するために、パワーアーム２は枢動シャフト５の周りを枢動可能であり、それにより、ガス圧バネ１３は操作する力に反作用する抵抗力を生成し、パワーアーム２を最初の位置まで戻そうとする。最初の位置は、完全に伸長した状態に達したガス圧バネ１３によって達成される。
【００２０】
図２からわかるように、圧縮バネエレメント９の一端領域８は第１の曲面を有する第１ジョイント面１４を有し、一方、それぞれが第２の曲面１７を有する一連の第２のジョイント面１６がパワーアーム２に沿って調節ゾーン１０にわたって配置される。第２の曲面は第１の曲面１５と相補的に設計されている。以下で詳述するように、第１のジョイント面１４を有する圧縮バネエレメント９の一端領域８は、第１のジョイント面１４によって第２のジョイント面１６のひとつと動作的に結合される。第１のジョイント面１４および第２のジョイント面１６は、圧縮バネエレメント９の一端領域８に対して、追加バネエレメント１８を介して圧縮され、その結果、動作的に結合する第１のジョイント面１４および第２のジョイント面１６の互いの接触が維持される。
【００２１】
図１からわかるように、全長にわたって長手方向にスロットを有する中空シリンダ形式のブロックエレメント３１が与えられる。図２からわかるように、このブロックエレメント３１は、ガス圧バネ１３が完全な伸長位置にあるとき、ガス圧バネロッド３０上に配置可能である。この状態でパワーアームはロックされ、枢動できなくなる。この筋肉運動用装置は、例えば、懸垂運動用に使用可能である。
【００２２】
特に図５からわかるように、第２のジョイント面１６は円筒形シャフト１９によって形成され、円筒形シャフト１９はパワーアーム２上の調節ゾーン１０に渡って連続かつ互いに離隔して配置される。
【００２３】
第１のジョイント面１４はフォーク２１の根元２０に形成され、そのフォーク２１は圧縮バネエレメント９の一端領域８に取り付けられる。この設計を通じて、第１のジョイント面１４は凹形状を有し、一方、第２のジョイント面１６は凸形状に設計される。円筒形シャフト１９の軸線は、枢動シャフト５と平行にアライメントされ、枢動シャフト５の周りでパワーアーム２は保持エレメント６に関して枢動可能である。
【００２４】
上述したように、パワーアーム２は追加バネエレメント１８を介して圧縮バネエレメント９の方向へ圧縮される。それにより、第１のジョイント面１４および第２のジョイント面１６の各々は、互いの方向にのみ導かれる互いに接触したままとなる。この調節ゾーン１０により、第１の関節ポイント７は枢動シャフト５に関して調節可能となる。パワーアーム２は、ガス圧バネ１３として設計された圧縮バネエレメント９が完全に伸長した位置にあるとき、パワーアーム２は、追加バネエレメント１８のバネ力に対抗してさらに枢動可能である。第２のジョイント面１６を有するフォーク２１は円筒シャフト１９および第１のジョイント面１４から外れて移動する。圧縮バネエレメント９の一端領域８は一連の円筒シャフト１９に沿ってフォーク２１とともに移動可能であり、それ自身はパワーアーム２の枢動戻りを通じて、対応する円筒シャフト１９上の所望の位置まで再び移動する。それにより、追加バネエレメント１８が、第１のジョイント面１４および対応する円筒形シャフト１９の新規に選択された第２のジョイント面１６を、再び接触した状態のままにする。第１の関節ポイント７から枢動シャフト５までの間隔は、こうして簡単な方法で調節可能である。パワーアームに適用されるべき抵抗力は、こうして調節可能である。
【００２５】
互いに対する個々の円筒形シャフト１９の間隔およびフォーク２１の幅が保証されることで、調節中の誤動作が発生しなくなる。フォーク２１は円筒形シャフト１９と常に係合状態にあり、それによって、安全な操作が保証される。間違って収まったとしても、負荷が与えられた圧縮バネエレメント９のフォーク２１は、最も近くの円筒形シャフト１９へ自動的にジャンプする。
【００２６】
追加バネエレメント１８はゴムバンド２２として好適に設計され、その一端領域２３（図２）は保持エレメント６上の第２の関節ポイント１２の領域に取り付け可能であり、一方、他端領域２４はパワーアーム２上に取り外し可能に取り付けられる。この目的のため、フック２５はゴムバンド２２のこの他端領域２４上に取り付け可能であり、そのフックはパワーアームに設けられたピン２６へフッキング可能である。
【００２７】
図３は、本願発明に従う装置１の正面図を示す。パワーアーム２が示され、それは枢動シャフト５の周りを枢動可能な方法で保持エレメント６内に保持される。同様にゴムバンド２２が示され、当該ゴムバンドによってパワーアーム２は上述したように、圧縮バネエレメントに対して圧縮される。
【００２８】
図４の断面図は、フォーク２１がフレキシブルな方法で円筒形シャフト１９とどのように係合されるかを示している。円筒形シャフト１９は２つのクロスピース２７内で保持され、それらはパワーアーム２上に配置される。
【００２９】
図６に、パワーアーム２が圧縮位置にある状態を示す。ガス圧バネ１３は、収縮した状態で配置されている。したがって、フォーク２１は、対応する円筒形シャフト１９上で最適な方法で支持されることがわかる。これによりフォーク２１が円筒形シャフト１９から外へ離れてスリップすることが無くなる。こうして安全な動作が保証される。図６から明らかなように、各々の場合においてフォーク２１が外側にリセス２８を具備すれば、フォーク２１が係合する円筒形シャフト１９に隣接する円筒形シャフト用のスペースが作成されるので有利である。
【００３０】
図７および８からわかるように、パワーアーム２はガス圧バネ１３から完全に離れて枢動シャフト５の周りを枢動可能である。これを達成するために、ゴムバンド２２がパワーアーム２から外される。パワーアーム２はその後枢動可能となり、それによってフォーク２１はそれぞれの円筒シャフト１９から外れて移動可能となる。それにより、パワーアーム２は停留位置に移動可能となる。ガス圧バネ１３は保持エレメント６の方向へ枢動される。装置１はしたがってスペース節約位置におちつく。その後、ゴムバンド２２はガス圧バネ１３の正面に配置される。
【００３１】
保持エレメント６および筋肉運動用装置１は、支持フレーム（図示せず）へ周知の方法で固定可能である。保持エレメント６および筋肉運動用装置１は、例えば、この支持フレームに対する床からの高さ、または、この支持フレームに対する角度位置に関して調節可能である。
【００３２】
図１からわかるように、スケール２９がパワーアーム２の第１のクロスピース上に配置されてよく、それによって、単純な方法で調節、例えば、パワーアームを枢動するために適用されるべき力の調節が再生可能である。
【００３３】
本願発明の態様により、パワーアームを有する筋肉運動用装置が動作する状態で、パワーアームに印加されるべき力は単純な方法で調節可能であり、その結果、パワーアームに適用されるべき力は異なる大きさを有してよい。
【先行技術文献】
【特許文献】
【００３４】
【特許文献１】米国特許第４，６１８，１４０号明細書
【図１】
0006552623.tif 000002
【図２】
0006552623.tif 000003
【図３】
0006552623.tif 000004
【図４】
0006552623.tif 000005
【図５】
0006552623.tif 000006
【図６】
0006552623.tif 000007
【図７】
0006552623.tif 000008
【図８】
0006552623.tif 000009